(57)【要約】  支持ユニット（１１）には、重なるシート開孔（２１Ｈ）およびシャーシ開孔（６３Ｈ）の２つの開孔を通過して拡散シート（６４）に接触する支持ピン（１２）と、シート開孔（２１Ｈ）を覆い隠すシールド部（１３）とが含まれ、さらに、支持ユニット（１１）をバックライトシャーシ（６３）に対して不動にさせる部材、例えば、引っかけ体（１４）とシールド部（１３）とが含まれる。
2010044314.tif 000002
【特許請求の範囲】
【請求項１】
共に開孔を含むとともに、それら開孔を重ね合わせつつ、互いに密着する絶縁シートおよびシャーシに対し、２つの上記開孔に嵌ることで、上記シャーシに取り付けられる支持ユニットにあって、
上記絶縁シートに含まれるシート開孔および上記シャーシに含まれるシャーシ開孔の２つの上記開孔を通過することで、先端を上記シャーシの表面から突出させる支持ピンと、
上記支持ピンの末端につながり、上記シャーシの裏面に密着する上記絶縁シートの上記シート開孔を覆い隠すシールド部と、
上記シャーシに係合することで、上記支持ユニット自体を上記シャーシに対して不動にさせる固定部と、
を含む支持ユニット。
【請求項２】
上記支持ユニットは、上記シャーシ開孔の縁に引っかかる係止端を有する係合体を含み、
上記係合体は、上記係止端を上記支持ピンにおける先端から末端までの中間に位置させており、
上記係止端と、上記支持ピンの末端につながる上記シールド部とが、上記シャーシを挟むことで、上記支持ユニット自体を上記シャーシに対して不動にさせる上記固定部となる請求項１に記載の支持ユニット。
【請求項３】
上記係合体は、上記シート開孔および上記シャーシ開孔を通過可能に変形する一方、変形後から元の形状に戻ることで、上記シャーシ開孔の縁に引っかかるように上記係止端を変位させる請求項２に記載の支持ユニット。
【請求項４】
上記シート開孔および上記シャーシ開孔の２つの開孔が線状であり、
上記係合体が、上記支持ピンにつながり、かつ２つの上記開孔を通過可能な線状で、それら２つの開孔を通過した後に、上記支持ピンを軸とする回転によって、２つの開孔の線状に対して交差し、上記係止端を上記シャーシ開孔の縁に引っかける請求項２に記載の支持ユニット。
【請求項５】
上記シート開孔は、上記係合体を通過させる面積を有する第１主部分と、上記係合体を通過不可にするものの上記支持ピンの中間から末端までの部分を通過させる第１副部分とを連結させており、
上記シャーシ開孔は、上記係合体を通過させる面積を有する第２主部分と、上記係合体を通過不可にするものの上記支持ピンの中間から末端までの部分を通過させる第２副部分とを連結させており、
上記係合体が上記第１主部分および第２主部分を通過した後に、上記支持ピンが上記第１副部分および上記第２副部分に向けてスライドし、上記係合体における上記係止端が上記第２副部分の縁に引っかかる請求項２に記載の支持ユニット。
【請求項６】
上記支持ピンの外周には、雄ねじが形成され、
上記シャーシ開の内周には、上記雄ねじに嵌る雌ねじが形成され、
上記雄ねじと上記雌ねじとは、嵌り合うことで、上記支持ユニット自体を上記シャーシに対して不動にさせる上記固定部となる請求項１に記載の支持ユニット。
【請求項７】
上記シールド部は、上記支持ピンの末端に接する第１面と、その第１面の裏側である第２面とを含み、
上記第２面には、その第２面から隆起する隆起部が含まれる請求項１〜６のいずれか１項に記載の支持ユニット。
【請求項８】
請求項１〜７のいずれか１項に記載の支持ユニットと、
上記支持ユニットにおける上記支持ピンの先端で支えられる光学シートと、
を搭載するバックライトユニット。
【請求項９】
請求項８に記載のバックライトユニットと、
上記バックライトユニットからの光を受光する表示パネルと、
を含む表示装置。
【請求項１０】
前記表示パネルは、一対の基板間に液晶を封入する液晶パネルである請求項９に記載の表示装置。
【請求項１１】
請求項１０または請求項１１に記載された表示装置を搭載するテレビ受信装置。
【発明の詳細な説明】
【技術分野】
【０００１】
本発明は、照明装置であるバックライトユニットに搭載される支持ユニット、バックライトユニット自身、このバックライトユニットからの光を利用する表示装置（液晶表示装置等）、および、テレビ放送の電波を受信可能な表示装置であるテレビ受信装置に関する。
【背景技術】
【０００２】
図１４に示すように、非発光型の液晶表示パネル１７９を搭載する液晶表示装置１８９では、照明装置であるバックライトユニット１６９も搭載される。そして、このバックライトユニット１６９にて、光源に蛍光管１６１が用いられる場合、蛍光管１６１を安定的にバックライトシャーシ（シャーシ）１６３に固定するために、ランプホルダ１９１が用いられる。【０００３】
ランプホルダ１９１は、図１５に示すように、蛍光管１６１を把持するクリップ１９２と、拡散シート１６４に接触することで、その拡散シート１６４を含む光学シート群１６６を支える支持ピン１１２と、クリップ１９２および支持ピン１１２を支える土台部１９３と、バックライトシャーシ１６３における底部１６３Ｂのシャーシ開孔１６３Ｈに嵌めることで、土台部１９３（ひいてはランプホルダ１９１自身）を固定させるフック１９４とを含む（なお、ランプホルダ１９１は、光学シート群１６６を支える点から、支持ユニットとも称される）。【０００４】
詳説すると、このランプホルダ１９１は、フック１９４を、蛍光管１６１に面するバックライトシャーシ１６３の表面１６３Ｂｆ側からシャーシ開孔１６３Ｈに嵌めることで、底部１６３Ｂに固定される（なお、反射シート１９５にも開孔１９５Ｈが存在し、その開孔１９５Ｈにもフック１９４は嵌る）。そして、ランプホルダ１９１は、底部１６３Ｂの表面１６３Ｂｆ側に位置する蛍光管１６１をランプクリップ１９２で把持し、拡散シート１６４等を支持ピン１１２で支える。
【先行技術文献】
【特許文献】
【０００５】
【特許文献１】特開２００７−７３５２７号公報
【発明の概要】
【発明が解決しようとする課題】
【０００６】
ところで、このようなバックライトユニット１６９では、蛍光管１６１に電流を供給するインバータユニット、および、種々部材に電流を供給する電源ユニット等が、バックライトシャーシ１６３の裏面１６３Ｂｒ側に搭載されることが多い。すると、インバータユニットおよび電源ユニットにて高電圧を印加される回路（例えば、インバータトランスおよび電源回路）が、金属製のバックライトシャーシ１６３に極めて近づくことになる。すると、このような回路とバックライトシャーシ１６３との間で、リークが生じやすくなる。【０００７】
そこで、図１６の断面図に示すように、バックライトシャーシ１６３の裏面１６３Ｂｒを絶縁シート１２１が覆うことも考えられる（なお、便宜上、バックライトシャーシ１６３の表面１６３Ｂｆを覆う反射シート１９５は省略する）。しかしながら、絶縁シート１２１には、フック１９４を通過させるためのシート開孔１２１Ｈが必要になる。その上、シャーシ開孔１６３Ｈの開孔内に絶縁シート１２１が重なることのないように、シート開孔１２１Ｈはシャーシ開孔１６３Ｈよりも広面積になっている。【０００８】
すると、シート開孔１２１Ｈからシャーシ開孔１６３Ｈの縁付近が露出することになり、その露出する部分と、インバータトランス１３８の金属端子１３８Ｐ等との間で、リークが生じやすくなる。【０００９】
本発明は、上記の問題点を解決するためになされたものである。そして、その目的は、シート開孔を含む絶縁シートがバックライトシャーシの裏面を覆っている場合、シート開孔から露出するバックライトシャーシの一部を覆う支持ユニット、その支持ユニットを搭載するバックライトユニット、バックライトを搭載する表示装置、さらに、テレビ放送の電波を受信可能な表示装置であるテレビ受信装置を提供することにある。
【課題を解決するための手段】
【００１０】
共に開孔を含むとともに、それら開孔を重ね合わせつつ、互いに密着する絶縁シートおよびシャーシに対し、その２つの開孔に嵌ることで、支持ユニットは、シャーシに取り付けられる。そして、その支持ユニットには、絶縁シートに含まれるシート開孔およびシャーシに含まれるシャーシ開孔の２つの開孔を通過することで、先端をシャーシの表面から突出させる支持ピンと、支持ピンの末端につながり、シャーシの裏面に密着する絶縁シートのシート開孔を覆い隠すシールド部と、シャーシに係合することで、支持ユニット自体をシャーシに対して不動にさせる固定部と、を含む。【００１１】
このようになっていると、支持ユニットでは、シールド部から支持ピンが突き出る。そのため、支持ピンがシート開孔およびシャーシ開孔を通じてシャーシの表面から突き出るためには、支持ユニットは、支持ピンを、シャーシの裏面を覆う絶縁シートのシート開孔を通過させ、さらにシャーシ開孔を通過させる。そして、支持ピンの末端のシールド部は、シート開孔を覆い隠せる面積を有する。その上、支持ピンの先端をシャーシの表面から突出させつつ、シャーシの裏面をシールド部で覆い隠した支持ユニットは、固定部により、シャーシに対して不動にされる。【００１２】
すると、シールド部は、安定して、シート開孔を覆い隠し、さらに、シート開孔から露出するシャーシの裏面の一部までも覆い隠せる。そのため、例えば、シャーシの裏面に、高電圧を印加される回路等が位置していても、その回路等と金属製のシャーシとの間で、リークは生じない。【００１３】
なお、支持ユニットは、シャーシ開孔の縁に引っかかる係止端を有する係合体を含み、その係合体は、係止端を支持ピンにおける先端から末端までの中間に位置させる。そして、その係止端と、支持ピンの末端につながるシールド部とが、シャーシを挟むことで、支持有ニット自体をシャーシに対して不動にさせる固定部となると望ましい。【００１４】
例えば、係合体が、シート開孔およびシャーシ開孔を通過可能に変形する一方、変形後から元の形状に戻ることで、シャーシ開孔の縁に引っかかるように係止端を変位させていると、支持ユニットはシャーシに対して不動になる。【００１５】
また、例えば、シート開孔およびシャーシ開孔の２つの開孔が線状である場合、係合体が、支持ピンにつながり、かつ２つの開孔を通過可能な線状で、それら２つの開孔を通過した後に、支持ピンを軸とする回転によって、２つの開孔の線状に対して交差し、係止端をシャーシ開孔の縁に引っかけると、支持ユニットはシャーシに対して不動になる。【００１６】
また、例えば、シート開孔が、係合体を通過させる面積を有する第１主部分と、係合体を通過不可にするものの支持ピンの中間から末端までの部分を通過させる第１副部分とを連結させ、シャーシ開孔が、係合体を通過させる面積を有する第２主部分と、係合体を通過不可にするものの支持ピンの中間から末端までの部分を通過させる第２副部分とを連結させているとする。【００１７】
このような場合、係合体が第１主部分および第２主部分を通過した後に、支持ピンが第１副部分および第２副部分に向けてスライドし、係合体における係止端が第２副部分の縁に引っかかると、支持ユニットはシャーシに対して不動になる。【００１８】
また、例えば、支持ピンの外周には、雄ねじが形成され、シャーシ開孔の内周には、雄ねじに嵌る雌ねじが形成され、雄ねじと雌ねじとは、嵌り合うことで、支持ユニット自体をシャーシに対して不動にさせる固定部となると望ましい。【００１９】
なお、以上の支持ユニットでは、シールド部は、支持ピンの末端に接する第１面と、その第１面の裏側である第２面とを含み、第２面には、その第２面から隆起する隆起部が含まれると望ましい。【００２０】
このようになっていると、隆起部の長さ分だけ、シャーシの裏面に近づこうとする別部材（例えば、高電圧を印加される回路等を実装する基板）を、その裏面から乖離させられる。そのため、一層、その回路等と金属製のシャーシとの間で、リークは生じない。【００２１】
なお、以上の支持ユニットと、その支持ユニットにおける支持ピンの先端で支えられる光学シートと、を搭載するバックライトユニットも本発明である。また、そのバックライトユニットと、バックライトユニットからの光を受光する表示パネルと、を含む表示装置も本発明である（なお、表示パネルは、一対の基板間に液晶を封入する液晶パネルであってもかまわない）。また、そのような表示装置を搭載するテレビ受信装置も、本発明である。
【発明の効果】
【００２２】
本発明によれば、金属製のシャーシおよびそのシャーシの裏面を覆う絶縁シートに、各々、支持ユニットを嵌めるための開孔が形成されていても、支持ユニットのシールド部がシート開孔を覆うことで、そのシート開孔から露出するシャーシの一部分を覆い隠せる。そのため、例えば、高電圧を印加される回路がシート開孔に面していても、リークが生じない。
【図面の簡単な説明】
【００２３】
【図１】は、実施の形態１における支持ユニット、バックライトシャーシ、および絶縁シートを示す斜視図である。
【図２】は、実施の形態１における液晶表示装置を示す断面図である（なお、断面方向は、図１におけるＡ１−Ａ１’線矢視断面方向である）。
【図３】は、実施の形態２における支持ユニット、バックライトシャーシ、および絶縁シートを示す斜視図である。
【図４】は、実施の形態２における液晶表示装置を示す断面図である（なお、断面方向は、図３におけるＡ２−Ａ２’線矢視断面方向である）。
【図５】は、実施の形態３における支持ユニット、バックライトシャーシ、および絶縁シートを示す斜視図である。
【図６】は、実施の形態３における液晶表示装置を示す断面図である（なお、断面方向は、図５におけるＡ３−Ａ３’線矢視断面方向である）。
【図７】は、実施の形態３における液晶表示装置を示す断面図である（なお、断面方向は、図５におけるＢ３−Ｂ３’線矢視断面方向である）。
【図８】は、図６に示される液晶表示装置の別例を示す断面図である。
【図９】は、実施の形態４における支持ユニット、バックライトシャーシ、および絶縁シートを示す斜視図である。
【図１０】は、実施の形態４における液晶表示装置を示す断面図である（なお、断面方向は、図９におけるＡ４−Ａ４’線矢視断面方向である）。
【図１１】は、液晶表示装置の分解斜視図である。
【図１２】は、バックライトシャーシの裏面に位置する種々部材を示す斜視図である。
【図１３】は、図１２に示されるインバータ基板をバックライトシャーシから乖離させ、支持ユニットを視認できるようにした分解斜視図である。
【図１４】は、従来の液晶表示装置の分解斜視図である。
【図１５】は、従来の液晶表示装置に搭載されるランプクリップの斜視図である。
【図１６】は、図１５に示されるランプクリップをバックライトシャーシに取り付けている従来の液晶表示装置の断面図である。
【発明を実施するための形態】
【００２４】
［実施の形態１］
実施の一形態について、図面に基づいて説明すれば、以下の通りである。なお、便宜上、ハッチングや部材符号等を省略する場合もあるが、かかる場合、他の図面を参照するものとする。
【００２５】
図１１は、液晶表示装置（表示装置）８９の分解斜視図である。この図に示すように、液晶表示装置８９は、液晶表示パネル７９と、バックライトユニット６９と、液晶表示パネル７９およびバックライトユニット６９を収容するハウジングＨＧ（表ハウジングＨＧ１・裏ハウジングＨＧ２）を含んでいる。
【００２６】
液晶表示パネル７９は、ＴＦＴ（Thin Film Transistor）等のスイッチング素子を含むアクティブマトリックス基板７１と、このアクティブマトリックス基板７１に対向する対向基板７２とをシール材（不図示）で貼り合わせる。そして、両基板７１・７２の隙間に液晶（不図示）が注入される（なお、アクティブマトリックス基板７１および対向基板７２を挟むように、偏光フィルム７３・７３が取り付けられる）。
【００２７】
この液晶表示パネル７９は非発光型の表示パネルなので、バックライトユニット６９からの光（バックライト光）を受光することで表示機能を発揮する。そのため、バックライトユニット６９からの光が液晶表示パネル７９の全面を均一に照射できれば、液晶表示パネル７９の表示品位が向上する。
【００２８】
バックライトユニット６９は、蛍光管（光源、線状光源）６１、ランプホルダ６２、バックライトシャーシ（シャーシ）６３、拡散シート６４、およびレンズシート６５（６５Ａ・６５Ｂ）を含む。
【００２９】
蛍光管６１は、線状（棒状、円柱状等）になっており、バックライトユニット６９内に複数本で搭載される（ただし、便宜上、図面では一部の本数のみが示されている）。そして、蛍光管６１の電極（不図示）はソケット５１に保持され、そのソケット５１からは電流供給を受けるためのハーネス５２が延び出る。
【００３０】
その上、２本のハーネス５２および２個のソケット５１を介して蛍光管６１につながるハーネス接続型コネクタ５３が、２本の蛍光管６１に対する電気的な接続部となる。なお、ハーネス接続型コネクタ５３は、後述の図１２に示すように、バックライトシャーシ６３に形成されるコネクタ用開孔６３Ｃを通じて、バックライトシャーシ６３の表面６３Ｂｆから裏面６３Ｂｒへ引き回される。
【００３１】
ランプホルダ６２は、２個１組のブロック状部材であり、蛍光管６１を保持する。詳説すると、一方のランプホルダ６２が蛍光管６１の両端における一端を支え、他方のランプホルダ６２が蛍光管６１の両端における他端を支えることで、その蛍光管６１をバックライトユニット６９に搭載させる。
【００３２】
なお、蛍光管６１の種類は限定されることはなく、例えば、冷陰極管や熱陰極管であってもよい。また、以降では、蛍光管６１の並列方向（蛍光管６１が直線状に並ぶ方向）をＰ方向、蛍光管６１の延び方向をＱ方向、Ｐ方向およびＱ方向の両方向に垂直な方向をＲ方向と称する。
【００３３】
バックライトシャーシ６３は、底部６３Ｂとその底部６３Ｂから立ち上がる壁部６３Ｗとを含む箱状の収容体である。そして、このバックライトシャーシ６３が、蛍光管６１等の種々部材を収容する（なお、蛍光管６１は、バックライトシャーシ６３の底部６３Ｂに敷き詰められ、蛍光管６１に面する底部６３Ｂの一面を表面６３Ｂｆ、その表面６３Ｂｆの裏側を裏面６３Ｂｒと称する）。
【００３４】
また、バックライトシャーシ６３は、反射機能を有する金属で形成される。そのため、バックライトシャーシ６３における底部６３Ｂの表面６３Ｂｆは、蛍光管６１の光を反射させる。詳説すると、底部６３Ｂは、蛍光管６１から出射される放射状の光（蛍光管６１を中心とした放射状の光）の一部を反射させ、拡散シート６４に導く。
【００３５】
ただし、バックライトシャーシ６３が反射機能を有さない材料で形成される場合、底部６３Ｂの表面６３Ｂｆを反射シートが覆い、その反射シートが蛍光管６１の光を反射させ、拡散シート６４に導いてもよい。
【００３６】
なお、バックライトシャーシ６３では、底部６３Ｂにおける裏面６３Ｂｒの一部が隆起することで、ボス（不図示）が生じる。そして、このボスに対して、後述の電源基板３３およびインバータ基板３７を介在させつつ、ネジ（不図示）が締結され、それら電源基板３３およびインバータ基板３７は、バックライトシャーシ６３に取り付けられる。
【００３７】
拡散シート６４は、並列する蛍光管６１（ひいてはバックライトシャーシ６３の表面６３Ｂｆ）を覆うように位置し、蛍光管６１からの光を拡散させて、液晶表示パネル７９全域に光をいきわたらせている。なお、この拡散シート６４とレンズシート６５Ａ・６５Ｂとは、光を屈折進行させる光学シートであることから、光学シート群６６とも称する。また、光学シート群６６を支持する部材である支持ユニット１１（一部の支持ユニット１１のみを図示）については後述する。
【００３８】
レンズシート６５Ａは、例えばシート面内にプリズム形状を有し、光の指向性を狭くする光学シートであり、拡散シート６４を覆うように位置する。そのため、このレンズシート６５Ａは、拡散シート６４から進行してくる光を集光させ、輝度を向上させる。
【００３９】
レンズシート６５Ｂは、レンズシート６５Ａを覆うように位置し、一方向の偏光成分を透過させるとともに、その透過する偏光成分に対して直交する偏光成分を反射させる光学シートである。そして、このレンズシート６５Ｂは、偏光フィルム７３により吸収される偏光成分を反射再利用することにより、液晶表示パネル７９上の輝度を向上させる。
【００４０】
そして、以上のようなバックライトユニット６９では、並列する蛍光管６１からの光は、直接拡散シート６４に到達する、もしくは、バックライトシャーシ６３の底部６３Ｂにて反射した後に拡散シート６４に到達する。さらに、拡散シート６４に到達した光は、拡散されつつレンズシート６５Ａ・６５Ｂを通過することで発光輝度を高めたバックライト光になって出射する。そして、このバックライト光は液晶表示パネル７９に到達し、その液晶表示パネル７９は画像を表示させる。
【００４１】
なお、ハウジングＨＧである表ハウジングＨＧ１と裏ハウジングＨＧ２とは、以上のバックライトユニット６９およびそのバックライトユニット６９を覆う液晶表示パネル７９を挟み込みつつ固定する（なお、固定の仕方は、特に限定されるものではない）。すなわち、表ハウジングＨＧ１は、バックライトユニット６９および液晶表示パネル７９を裏ハウジングＨＧ２とともに挟み込み、これにより、液晶表示装置８９が完成する。
【００４２】
ここで、図１１と、図１２および図１３とを用いてバックライトシャーシ６３の裏面６３Ｂｒに位置する種々部材について詳説する。なお、図１２は、バックライトシャーシ６３の裏面６３Ｂｒに位置する種々部材を示す斜視図であり、図１３は、図１２に示される種々部材の配置を変えた分解斜視図である。
【００４３】
バックライトシャーシ６３の裏面６３Ｂｒには、例えば、電源ユニット３１、インバータユニット３５、絶縁シート２１、および支持ユニット１１が位置する（支持ユニット１１は、図１３を参照）。
【００４４】
電源ユニット３１は、液晶表示装置８９の内部の種々回路等に電流を供給する電源回路３２と、その電源回路３２を実装する電源基板３３とを含む（なお、電源回路３２が実装される基板面は、表基板面３３ｆと称される）。
【００４５】
なお、電源基板３３は、ネジ（不図示）でバックライトシャーシ６３に対して締結されており、表基板面３３ｆの裏面である裏基板面３３ｒが、バックライトシャーシ６３における裏面６３Ｂｒに向く。また、電源基板３３の裏基板面３３ｒには、電源回路３２の金属端子３２Ｐが露出する。
【００４６】
インバータユニット３５は、インバータ回路と、基板搭載型コネクタ３６と、インバータ回路のような種々回路および基板搭載型コネクタ３６等を実装する基板であるインバータ基板３７と、を含む（なお、インバータ回路および基板搭載型コネクタ３６が実装されるインバータ基板３７の基板面は表基板面３７ｆ、その表基板面３７ｆの裏側の基板面は裏基板面３７ｒと称される）。
【００４７】
インバータ回路は、昇圧回路（インバータトランス）３８のような種々の回路で構成され、蛍光管６１を駆動させるために用いられる回路である（なお、図１２および図１３では、便宜上、インバータ回路におけるインバータトランス３８が主体的に図示される）。
【００４８】
基板搭載型コネクタ３６は、インバータトランス３８を実装されたインバータ基板３７の表基板面３７ｆと同面に取り付けられ、不図示の基板配線（インバータ基板３７に配置される配線）を介してインバータ回路につながる。すなわち、基板搭載型コネクタ３６は、インバータ回路に対する電気的な接続部である。
【００４９】
そして、基板搭載型コネクタ３６は、ソケット５１から延び出るハーネス５２を２本つなげるハーネス接続型コネクタ５３に嵌ることで、蛍光管６１に交流電流を供給する。つまり、インバータ回路と蛍光管６１との電気的な接続は、インバータ基板３７に取り付けられる基板搭載型コネクタ３６と、ソケット５１から延び出るハーネス５２を２本つなげるハーネス接続型コネクタ５３との嵌り合いで実現する。
【００５０】
詳説すると、バックライトシャーシ６３の裏面６３Ｂｒ側に位置するハーネス接続型コネクタ５３が、図１２の白色矢印のように、インバータ基板３７の基板搭載型コネクタ３６に向かって移動して嵌る。すると、インバータ回路からの交流電流は、基板配線（不図示）、基板搭載型コネクタ３６、ハーネス接続型コネクタ５３、ハーネス５２、およびソケット５１を介して、蛍光管６１に流れる。その結果、蛍光管６１は、交流電流によって駆動させられる。
【００５１】
なお、インバータ回路および基板搭載型コネクタ３６を実装するインバータ基板３７は、ネジ（不図示）でバックライトシャーシ６３に対して締結されており、表基板面３７ｆの裏面である裏基板面３７ｒが、バックライトシャーシ６３における裏面６３Ｂｒに向く。また、インバータ基板３７の裏基板面３７ｒには、インバータトランス３８の金属端子３８Ｐが露出する。
【００５２】
つまり、バックライトシャーシ６３の裏面６３Ｂｒに、インバータトランス３８の金属端子３８Ｐが近づくことになる。また、同様に、電源回路３２の金属端子３２Ｐもバックライトシャーシ６３の裏面６３Ｂｒに近づくことになる。
【００５３】
このような金属端子３２Ｐ・３８Ｐは、比較的高電圧を印加される部品（電源回路３２・インバータトランス３８）の一部である。そのため、金属端子３２Ｐ・３８Ｐが金属製のバックライトシャーシ６３の裏面６３Ｂｒに近づくと、リークが生じるため不都合である。そこで、バックライトシャーシ６３の裏面６３Ｂｒには、絶縁シート２１が取り付けられる。つまり、絶縁シート２１は、バックライトシャーシ６３へ流れ込もうとする電流の進入を防ぐシートである。
【００５４】
支持ユニット１１は、拡散シート６４に接触することで、その拡散シート６４、さらには、拡散シート６４に積み重なるレンズシート６５Ａ・６５Ｂを支えるものである。この支持ユニット１１は、図１３に示すように、絶縁シート２１に形成されるシート開孔（開孔）２１Ｈ、およびバックライトシャーシ６３の底部６３Ｂに形成されるシャーシ開孔（開孔）６３Ｈに嵌ることで、バックライトシャーシ６３に取り付けられる。
【００５５】
なお、支持ユニット１１の取り付けのために形成されるシート開孔２１Ｈおよびシャーシ開孔６３Ｈでは、シャーシ開孔６３Ｈの開孔内に絶縁シート２１が重なることのないように、シート開孔２１Ｈがシャーシ開孔６３Ｈよりも広面積になる。
【００５６】
ここで、図１１〜図１３に加え、図１および図２を用いて、支持ユニット１１について詳説する。なお、図１は、支持ユニット１１、バックライトシャーシ６３の底部６３Ｂ、および絶縁シート２１を示す斜視図である。図２は、液晶表示装置８９を示す断面図である（なお、断面方向は、図１におけるＡ１−Ａ１’線矢視断面方向である）。
【００５７】
支持ユニット１１は、絶縁性の材料で形成されており、支持ピン１２、シールド部１３、引っかけ体（係合体）１４、および隆起部１８を含む。
【００５８】
支持ピン１２は、拡散シート６４に接触するテーパ状の先端１２Ｔを含む軸状ピンである。そして、この支持ピン１２のピン軸周りの外周面積（要は、支持ピン１２のピン軸方向に対して垂直な断面積）は、シート開孔２１Ｈの開孔面積およびシャーシ開孔６３Ｈの開孔面積よりも狭面積である。そのため、支持ピン１２は、自身の先端１２Ｔを、図２に示すように、重なり合うシート開孔２１Ｈとシャーシ開孔６３Ｈとを通過させ、拡散シート６４に接触させられる。
【００５９】
シールド部１３は、円盤（円状の板部材）であり、支持ピン１２のピン軸方向に対して交差しつつ（例えば垂直になりつつ）、支持ピン１２の末端１２Ｂにつながる。そして、このシールド部１３の面積は、シャーシ開孔６３Ｈの開孔面積よりも広いシート開孔２１Ｈの開孔面積よりも、さらに広面積である。そのため、支持ピン１２の先端１２Ｔが、シート開孔２１Ｈを通過し、さらに、シャーシ開孔６３Ｈを通過していくと、支持ピン１２の末端１２Ｂに位置するシールド部１３がシート開孔２１Ｈを覆い隠す。
【００６０】
引っかけ体１４は、複数個存在し、支持ピン１２を囲む。各引っかけ体１４は、シールド部１３から延び出て、支持ピン１２に隣り合うように位置し、延び出た先に係止端１４Ｌを含む。詳説すると、引っかけ体１４は、係止端１４Ｌと、この係止端１４Ｌを支える支持片１４Ｓとを含む。
【００６１】
支持片１４Ｓは、シールド部１３から延び出る弾性部材で、バックライトシャーシ６３の底部６３Ｂの厚みと絶縁シート２１の厚みとを合わせた長さよりも若干長く、シャーシ開孔６３Ｈと支持ピン１２との隙間に収まる形状である。そのため、シールド部１３がシート開孔２１Ｈを覆い隠している場合に、支持片１４Ｓがシート開孔２１Ｈおよびシャーシ開孔６３Ｈを通過するならば、支持片１４Ｓの先は、シャーシ開孔６３Ｈから底部６３Ｂの表面６３Ｂｆに露出する。
【００６２】
係止端１４Ｌは、支持片１４Ｓの先に位置し、かつ、シャーシ開孔６３Ｈと支持ピン１２との隙間に収まる形状である。ただし、係止端１４Ｌは、底部６３Ｂの表面６３Ｂｆのシャーシ開孔６３Ｈの縁に到達するほど、支持ピン１２から乖離するように延び出る形状でもある（つまり、引っかけ体１４は、シャーシ開孔６３Ｈの縁に引っかかる係止端１４Ｌを、支持ピン１２における先端１２Ｔから末端１２Ｍまでの中間１２Ｍに位置させる）。
【００６３】
そのため、係止端１４Ｌが支持片１４Ｓとともにシャーシ開孔６３Ｈと支持ピン１２との隙間に進入する場合、その係止端１４Ｌはシャーシ開孔６３Ｈの内壁に押さえ付けられる。すると、その押圧により、支持片１４Ｓは、係止端１４Ｌを、シャーシ開孔６３Ｈと支持ピン１２との隙間に収めるまで撓む。
【００６４】
そして、係止端１４Ｌがシャーシ開孔６３Ｈを通過すると、撓んでいた支持片１４Ｓが元の形状に戻る。そのため、係止端１４Ｌは、底部６３Ｂの表面６３Ｂｆにおけるシャーシ開孔６３Ｈの縁に引っかかる。要は、引っかけ体１４は、シート開孔２１Ｈおよびシャーシ開孔６３Ｈを通過可能に変形する一方、変形後から元の形状に戻ることで、シャーシ開孔６３Ｈの縁に引っかかるように係止端１４Ｌを変位させる。
【００６５】
このように、係止端１４Ｌがシャーシ開孔６３Ｈの縁に引っかかると、係止端１４Ｌ（ひいては引っかけ体１４）が、シールド部１３とともに、バックライトシャーシ６３を挟むことになる。その結果、支持ユニット１１がバックライトシャーシ６３に対して不動になる｛なお、係止端１４Ｌ（ひいては引っかけ体１４）とシールド部１３とは、支持ユニット１１を、バックライトシャーシ６３に対して不動にさせる固定部１９といえる｝。
【００６６】
また、支持ピン１２がバックライトシャーシ６３に対して不動になっている場合、シールド部１３はシート開孔２１Ｈを確実に覆う。すると、シート開孔２１Ｈの開孔面積よりも狭く、そのシート開孔に重なるシャーシ開孔６３Ｈも、シールド部１３に確実に覆われる。
【００６７】
そのため、シート開孔２１Ｈから露出するシャーシ開孔６３Ｈの縁付近（底部６３Ｂの一部分）が、電源回路３２の金属端子３２Ｐおよびインバータトランス３８の金属端子３８Ｐに、直接、近づかない。その結果、金属端子３２Ｐ・３８Ｐからシャーシ開孔６３Ｈの縁付近へと電流が流れることはなく、リークは生じない。
【００６８】
以上を踏まえると、バックライトユニット６９では、拡散シート６４をバックライトシャーシ６３における表面６３Ｂｆから乖離させるようにして支える支持ユニット１１が含まれる。そして、この支持ユニット１１では、重なるシート開孔２１Ｈおよびシャーシ開孔６３Ｈを通過して拡散シート６４に接触する支持ピン１２、さらに、シート開孔２１Ｈを覆い隠すシールド部１３が含まれる。
【００６９】
また、支持ユニット１１には、自身をバックライトシャーシ６３に対して不動にさせる部材、例えば、引っかけ体１４とシールド部１３とが含まれる。詳説すると、支持ユニット１１は、引っかけ体１４の係止端１４Ｌと、支持ピン１２の末端１２Ｂにつながるシールド部１３とで、バックライトシャーシ６３を挟むことで、自身をバックライトシャーシ６３に対して不動にさせる（固定させる）。
【００７０】
このようになっていると、支持ユニット１１は、支持ピン１２で拡散シート６４をバックライトシャーシ６３の表面６３Ｂｒ（ひいては蛍光管６１）から乖離させる。そのため、拡散シート６４が、蛍光管６１に触れたり、過剰に撓んだりはしなくなる。
【００７１】
その上、支持ユニット１１の取り付けのために形成されたシート開孔２１Ｈの開孔内に収まるシャーシ開孔６３Ｈの縁付近（要は、シート開孔２１Ｈから露出するバックライトシャーシ６３の一部）は、シールド部１３で覆われる。そのため、シャーシ開孔６３Ｈの縁付近に、電源回路３２の金属端子３２Ｐおよびインバータトランス３８の金属端子３８Ｐ等が存在しても、リークが確実に防止される。
【００７２】
また、以上のような支持ユニット１１は、さらに隆起部１８も含む。この隆起部１８は、支持ピン１２の末端１２Ｂに接するシールド部１３の第１面１３Ａに対して、裏側である第２面１３Ｂに形成される。すなわち、隆起部１８は、第２面１３Ｂから隆起する部材である。
【００７３】
そして、この隆起部１８は、自身の長さ分だけ、シールド部１３（ひいては、シールド部１３に覆われるシール開孔２１Ｈの付近）を金属端子３２Ｐ・３８Ｐから乖離させる。そのため、より確実に、シャーシ開孔６３Ｈの縁付近が、金属端子３２Ｐ・３８Ｐに近づかなくなり、リークが確実に防止される。
【００７４】
また、電源基板３３およびインバータ基板３７が撓んだとしても、両基板３３・３７とバックライトシャーシ６３との距離は一定以上に確保される。そのため、一層確実に、シャーシ開孔６３Ｈの縁付近が、金属端子３２Ｐ・３８Ｐに近づかなくなり、リークが確実に防止される。
【００７５】
なお、以上では、引っかけ体１４は、シールド部１３の第１面１３Ａから突き出ていたが、これに限定されるものではない。例えば、支持ピン１２の外周につながっていてもよい。要は、引っかけ体１４が係止端１４Ｌでシャーシ開孔６３Ｈの縁を押さえさせ、その係止端１４Ｌとシールド部１３とがバックライトシャーシ６３を挟めるようにできればよく、引っかけ体１４の位置や形状は特に限定されるものではない。
【００７６】
［実施の形態２］
実施の形態２について説明する。なお、実施の形態１で用いた部材と同様の機能を有する部材については同一の符号を付記し、その説明を省略する。この実施の形態２では、実施の形態１と同様の作用効果を奏するバックライトユニット６９について、図３および図４を用いて説明する。
【００７７】
なお、図３は、図１同様、支持ユニット１１、バックライトシャーシ６３の底部６３Ｂ、および絶縁シート２１を示す斜視図である。図４は、液晶表示装置８９を示す断面図である（なお、断面方向は、図３におけるＡ２−Ａ２’線矢視断面方向である）。
【００７８】
この実施の形態２における支持ユニット１１は、実施の形態１同様に、支持ピン１２、シールド部１３、隆起部１８を含む一方、新たに交差体（係合体、係止端）１５を含む。
【００７９】
交差体１５は、支持ピン１２の先端１２Ｔから末端１２Ｂに至るまでの中間１２Ｍにて、支持ピン１２のピン軸方向に対して交差するように延び出る。例えば、交差体１５は、支持ピン１２のピン軸方向に対して直交しつつ延び、線状となる。（なお、交差体１５からシールド部１３までの長さは、バックライトシャーシ６３の底部６３Ｂの厚みと絶縁シート２１の厚みとを合わせた長さよりも若干長い）
【００８０】
そして、この線状の交差体１５に合わせて、絶縁シート２１のシート開孔２１Ｈおよびバックライトシャーシ６３のシャーシ開孔６３Ｈも線状になる。特に、シート開孔２１Ｈおよびシャーシ開孔６３Ｈは、交差体１５の線状よりも大型の線状になる。
【００８１】
そのため、線状の交差体１５の向きと２つの開孔２１Ｈ・６３Ｈの向きとが一致すれば、支持ピン１２が、シート開孔２１Ｈを通過し、さらにシャーシ開孔６３Ｈを通過する過程で、交差体１５も２つの開孔２１Ｈ・６３Ｈを通過する。すると、交差体１５は、バックライトシャーシ６３の表面６３Ｂｆに到達する。
【００８２】
そして、この交差体１５がバックライトシャーシ６３の表面６３Ｂｆに位置する状態で、支持ピン１２がピン軸方向を基準に回転すると、交差体１５は、２つの線状の開孔２１Ｈ・６３Ｈに対して交差し、バックライトシャーシ６３の表面６３Ｂｆ（例えば、シャーシ開孔６３Ｈの縁）に引っかかる。
【００８３】
このように、交差体１５がシャーシ開孔６３Ｈの縁等の底部６３Ｂの表面６３Ｂｆに引っかかると、その交差体１５が、シールド部１３とともに、バックライトシャーシ６３を挟むことになる。その結果、支持ユニット１１がバックライトシャーシ６３に対して不動になる。したがって、交差体１５とシールド部１３とは、支持ユニット１１を、バックライトシャーシ６３に対して不動にさせる固定部１９ともいえる（なお、交差体１５ほぼ全体が、シャーシ開孔６３Ｈの縁に引っかかることから、交差体１５が係止端ともいえる）。
【００８４】
そして、支持ユニット１１がバックライトシャーシ６３に対して不動になっている場合、シールド部１３は、実施の形態１でのバックライトユニット６９同様、シート開孔２１Ｈを確実に覆う。すると、シート開孔２１Ｈの開孔面積よりも狭く、そのシート開孔に重なるシャーシ開孔６３Ｈも、シールド部１３に確実に覆われる。
【００８５】
その結果、シート開孔２１Ｈから露出するシャーシ開孔６３Ｈの縁付近が、電源回路３２の金属端子３２Ｐおよびインバータトランス３８の金属端子３８Ｐに、直接、近づかず、金属端子３２Ｐ・３８Ｐからシャーシ開孔６３Ｈの縁付近へと電流が流れることはない。
【００８６】
なお、交差体１５がシャーシ開孔６３Ｈの縁等の底部６３Ｂの表面６３Ｂｆに引っかかる状態を維持すべく、この状態になった場合での支持ピン１２を、回転させずに固定する機構が含まれていてもよい。
【００８７】
また、支持ピン１２が、意に反して、線状のシート開孔２１Ｈ・シャーシ開孔６３Ｈに沿って移動してしまうことを考慮し、シールド部１３は、交差体１５の延び方向に対して交差する方向（例えば、シート開孔２１Ｈ・シャーシ開孔６３Ｈの線状の方向と同方向）に延びた形状、例えば楕円状であってもかまわない。
【００８８】
［実施の形態３］
実施の形態３について説明する。なお、実施の形態１・２で用いた部材と同様の機能を有する部材については同一の符号を付記し、その説明を省略する。この実施の形態３では、実施の形態１・２と同様の作用効果を奏するバックライトユニット６９について、図５〜図７を用いて説明する。
【００８９】
なお、図５は、図１同様、支持ユニット１１、バックライトシャーシ６３の底部６３Ｂ、および絶縁シート２１を示す斜視図である。図６および図７は、液晶表示装置８９を示す断面図である。ただし、図６の断面方向は、図５におけるＡ３−Ａ３’線矢視断面方向であり、図７の断面方向は、図５におけるＢ３−Ｂ３’線矢視断面方向である。
【００９０】
この実施の形態３における支持ユニット１１は、実施の形態１・２同様に、支持ピン１２、シールド部、隆起部１８を含む一方、新たに傘状体（係合体）１６を含む。
【００９１】
傘状体１６は、支持ピン１２の先端１２Ｔから中間１２Ｍ当たりまでの外周から盛り上がることで傘状を形成する部材である。したがって、傘状体１６の裾部分（係止端）１６Ｂの外周は、支持ピン１２の外周よりも大きい。また、裾部分１６Ｂからシールド部１３までの長さは、バックライトシャーシ６３の底部６３Ｂの厚みと絶縁シート２１の厚みとを合わせた長さよりも若干長い。
【００９２】
そして、絶縁シート２１のシート開孔２１Ｈおよびバックライトシャーシ６３のシャーシ開孔６３Ｈは、この裾部分１６Ｂの外周を包含可能な形状、例えば円状になる。特に、シート開孔２１Ｈおよびシャーシ開孔６３Ｈは、裾部分１６Ｂの外周の円状よりも大型の円状の部分を含む（なお、シート開孔２１Ｈにおける円状の部分を第１円状部分２１ＨＭ、シャーシ開孔６３Ｈの円状の部分を第２円状部分６３ＨＭと称する）。
【００９３】
さらに、シート開孔２１Ｈは、第１円状部分（第１主部分）２１ＨＭにつながる第１線型延長部分（第１副部分）２１ＨＳを含み、シャーシ開孔６３Ｈは、第２円状部分（第２主部分）６３ＨＭにつながる第２線型延長部分（第２副部分）６３ＨＳを含む。詳説すると、第１線型延長部分２１ＨＳおよび第２線型延長部分６３ＨＳは、傘状体１６（詳説すると、裾部分１６Ｂ）を通らせないものの、支持ピン１２の中間１２Ｍから末端１２Ｂまでの部分を通過させるだけの幅を有する線状部分である。
【００９４】
なお、シート開孔２１Ｈの第１円状部分２１ＨＭの面積は、シャーシ開孔６３Ｈの第２円状部分６３ＨＭの面積よりも広く、シート開孔２１Ｈの第１線型延長部分２１ＨＳの面積は、シャーシ開孔６３Ｈの第２線型延長部分６３ＨＳの面積よりも広い（なお、シート開孔２１Ｈ全体としても、シャーシ開孔６３Ｈの全体よりも広面積になる）。
【００９５】
また、シールド部１３は、シート開孔２１Ｈを覆える形状、例えば楕円状になっており、楕円の中心ではなく端で、かつ長軸近傍で、支持ピン１２につながる。
【００９６】
以上のようなシート開孔２１Ｈおよびシャーシ開孔６３Ｈに対して、支持ユニット１１が傘状体１６をまとう支持ピン１２を通過させようとする場合、第１円状部分２１ＨＭおよび第２円状部分６３ＨＭに、支持ピン１２を合わせる。そして、支持ピン１２の先端１２Ｔが、第１円状部分２１ＨＭに進入し、さらに、第２円状部分６３ＨＭを進入していくと、支持ピン１２外周の傘状体１６は、両円状部分２１ＨＭ・６３ＨＭの内壁に遮られることなく、それら両円状部分２１ＨＭ・６３ＨＭを通過する。さらに、支持ピン１２の末端１２Ｂに位置するシールド部１３が第１円状部分２１ＨＭを覆い隠す。
【００９７】
そして、傘状体１６の裾部分１６Ｂがバックライトシャーシ６３の表面６３Ｂｆに位置する状態で、支持ピン１２が、第１線型延長部分２１ＨＳおよび第２線型延長部分６３ＨＳに沿って、移動（スライド）すると、裾部分１６Ｂは、バックライトシャーシ６３における第２線型延長部分６３ＨＳに重なり、そのバックライトシャーシ６３の表面６３Ｂｆ（例えば、第２線型延長部分６３ＨＳの縁）に引っかかる。
【００９８】
このように、傘状体１６が第２線型延長部分６３ＨＳの縁等の底部６３Ｂの表面６３Ｂｆに引っかかると、その傘状体１６の裾部分１６Ｂが、シールド部１３とともに、バックライトシャーシ６３を挟むことになり、支持ユニット１１がバックライトシャーシ６３に対して不動になる。したがって、裾部分１６Ｂとシールド部１３とは、支持ユニット１１を、バックライトシャーシ６３に対して不動にさせる固定部１９といえる。
【００９９】
なお、支持ピン１２は、楕円状のシールド部１３の中心ではなく端で、かつ長軸近傍でつながっている。そのため、その支持ピン１２が、第１線型延長部分２１ＨＳおよび第２線型延長部分６３ＨＳに沿ってスライドして、第１円状部分２１ＨＭおよび第２円状部分６３ＨＭから離れたとしても、シールド部１３は、実施の形態１・２でのバックライトユニット６９同様、シート開孔２１Ｈを確実に覆う。すると、シート開孔２１Ｈの開孔面積よりも狭く、そのシート開孔２１Ｈに重なるシャーシ開孔６３Ｈも、シールド部１３に確実に覆われる。
【０１００】
その結果、シート開孔２１Ｈから露出するシャーシ開孔６３Ｈの縁付近が、電源回路３２の金属端子３２Ｐおよびインバータトランス３８の金属端子３８Ｐに、直接、近づかず、金属端子３２Ｐ・３８Ｐからシャーシ開孔６３Ｈの縁付近へと電流が流れることはない。
【０１０１】
なお、支持ピン１２の外周形状は、特に限定されるものではない。ただし、支持ピン１２の外周形状が、シャーシ開孔６３Ｈの第２線型延長部分６３ＨＳにて対向する内壁同士に密着可能な外周形状（例えば、四角状）であれば、支持ピン１２が第２線型延長部分６３ＨＳにて変位しにくくなって望ましい（例えば、支持ピン１２が、第２線型延長部分６３ＨＳにて、回転したり第２円状部分６３ＨＭに戻るように逆スライドしたりしにくくなる）。
【０１０２】
また、図６の別例図である図８に示すように、絶縁シート２１およびバックライトシャーシ６３に、シート開孔２１Ｈおよびシャーシ開孔６３Ｈとは異なる別の開孔２１Ｊ・６３Ｊが形成され、その開孔２１Ｊ・６３Ｊに嵌るストッパーＳＰが、シールド部１３の第１面１３Ａから突き出ていてもよい。このようになっていると、支持ピン１２が、第２線型延長部分６３ＨＳにて、回転しなくなる。
【０１０３】
なお、開孔２１Ｊの開孔面積は開孔６３Ｊの開孔面積よりも広面積ではあるが、シールド部１３が、シート開孔２１Ｈとともに開孔２１Ｊも覆い隠せるだけの面積を有する。そのため、開孔２１Ｊ・６３Ｈに起因したリークも発生しない。
【０１０４】
［実施の形態４］
実施の形態４について説明する。なお、実施の形態１〜３で用いた部材と同様の機能を有する部材については同一の符号を付記し、その説明を省略する。この実施の形態４では、実施の形態１〜３と同様の作用効果を奏するバックライトユニット６９について、図９および図１０を用いて説明する。
【０１０５】
なお、図９は、図１同様、支持ユニット１１、バックライトシャーシ６３の底部６３Ｂ、および絶縁シート２１を示す斜視図である。図１０は、液晶表示装置８９を示す断面図である（なお、断面方向は、図９におけるＡ４−Ａ４’線矢視断面方向である）。
【０１０６】
この実施の形態４における支持ユニット１１は、実施の形態１〜３同様に、支持ピン１２、シールド部１３、隆起部１８を含む一方、新たに、支持ピン１２の外周に雄ねじ１７Ａが含まれる。さらに、この雄ねじ１７Ａに嵌る雌ねじ１７Ｂが、シャーシ開孔６３Ｈの内壁に含まれる。そして、この雄ねじ１７Ａと雌ねじ１７Ｂとの嵌り合いで、支持ピン１２は、バックライトシャーシ６３に取り付けられる（したがって、雄ねじ１７Ａと雌ねじ１７Ｂとが、支持ユニット１１をバックライトシャーシ６３に対して不動にさせる固定部１９といえる）。
【０１０７】
詳説すると、雄ねじ１７Ａは、支持ピン１２の中間１２Ｍから末端１２Ｂに至るまで外周に形成される。そのため、支持ピン１２が、シート開孔２１Ｈを通過し、さらにシャーシ開孔６３Ｈの雌ねじ１７Ｂに雄ねじ１７Ａを嵌め合わせ進行していくと、支持ピン１２の末端１２Ｂに位置するシールド部１３が、シート開孔２１Ｈに近づいていき、そのシート開孔２１Ｈを覆う。
【０１０８】
そして、実施の形態１〜３でのバックライトユニット６９同様、シールド部１３がシート開孔２１Ｈを確実に覆っていると、シート開孔２１Ｈの開孔面積よりも狭く、そのシート開孔に重なるシャーシ開孔６３Ｈも、シールド部１３に確実に覆われる。
【０１０９】
その結果、シート開孔２１Ｈから露出するシャーシ開孔６３Ｈの縁付近が、電源回路３２の金属端子３２Ｐおよびインバータトランス３８の金属端子３８Ｐに、直接、近づかず、金属端子３２Ｐ・３８Ｐからシャーシ開孔６３Ｈの縁付近へと電流が流れることはない。
【０１１０】
［その他の実施の形態］
なお、本発明は上記の実施の形態に限定されず、本発明の趣旨を逸脱しない範囲で、種々の変更が可能である。
【０１１１】
例えば、シールド部１３の形状は、円状、楕円状に限らず、四角形のような多角形であってもかまわない。要は、シート開孔２１Ｈを覆える面積を有するシールド部１３であれば、特に形状は限定されない。
【０１１２】
また、支持ピン１２の形状は、円柱状に限らず、多角柱状であってもかまわない。要は、シート開孔２１Ｈおよびシャーシ開孔６３Ｈを通過可能な支持ぴん１２であれば、特に形状は限定されない。
【０１１３】
なお、以上では、電子機器の一例として、表示装置である液晶表示装置を例に挙げて説明してきたが、電子機器は、液晶表示装置に限定されるものではない（なお、表示装置が、テレビ放送に要する電波を受信する場合、テレビ受信装置と称する）。
【符号の説明】
【０１１４】
１１        支持ユニット
１２        支持ピン
１２Ｔ      支持ピンの先端
１２Ｂ      支持ピンの末端
１２Ｍ      支持ピンの中間
１３        シールド部
１３Ａ      シールド部の一面である第１面
１３Ｂ      シールド部の第１面の裏面である第２面
１４        引っかけ体（係合体）
１４Ｌ      係止端
１４Ｓ      支持片
１５        交差体（係合体、係止端）
１６        傘状体（係合体）
１６Ｂ      裾部分（係止端）
１７Ａ      雄ねじ（固定部）
１７Ｂ      雌ねじ（固定部）
１８        隆起部
１９        固定部
２１        絶縁シート
２１Ｈ      シート開孔（開孔）
３１        電源ユニット
３２        電源回路（回路）
３２Ｐ      電源回路の金属端子
３３        電源基板
３３ｆ      電源基板の表基板面
３３ｒ      電源基板の裏基板面
３５        インバータユニット
３７        インバータ基板
３７ｆ      インバータ基板の表基板面
３７ｂ      インバータ基板の裏基板面
３８        インバータトランス（回路）
３８Ｐ      インバータトランスの金属端子
６１        蛍光管
６２        ランプホルダ
６３        バックライトシャーシ（シャーシ）
６３Ｈ      シャーシ開孔（開孔）
６３Ｂ      バックライトシャーシの底部
６３Ｂｆ    底部の表面
６３Ｂｒ    底部の裏面
６４        拡散シート
６５        レンズシート
６６        光学シート群
６９        バックライトユニット
７９        液晶表示パネル
８９        液晶表示装置（表示装置）
【図１】
2010044314.tif 000003
【図２】
2010044314.tif 000004
【図３】
2010044314.tif 000005
【図４】
2010044314.tif 000006
【図５】
2010044314.tif 000007
【図６】
2010044314.tif 000008
【図７】
2010044314.tif 000009
【図８】
2010044314.tif 000010
【図９】
2010044314.tif 000011
【図１０】
2010044314.tif 000012
【図１１】
2010044314.tif 000013
【図１２】
2010044314.tif 000014
【図１３】
2010044314.tif 000015
【図１４】
2010044314.tif 000016
【図１５】
2010044314.tif 000017
【図１６】
2010044314.tif 000018
【国際調査報告】
2010044314.tif 000019
2010044314.tif 000020
2010044314.tif 000021
2010044314.tif 000022